(57)【要約】【課題】待機状態における消費電力を削減することができ、また、低コストを実現しながら、待機状態における画像処理装置のカバー開閉を検出することができる画像処理装置を提供することを目的とするものである。【解決手段】現像剤を収容し、本体から着脱可能な現像剤容器と、現像剤容器を本体から着脱させる開閉カバーと、低圧電源部で生成された直流電圧を電源とし、画像形成を制御する制御回路部と、制御回路部の制御のもとで、直流電圧から高圧電圧を生成する高圧電源部と、低圧電源部と高圧電源部との間に接続され、開閉カバーの動作に応じて、直流電圧のオン・オフを制御するメカニカルスイッチと、メカニカルスイッチのオン・オフを検知する状態検出手段と、開閉カバーの開放、または読み取り原稿の有りのいずれかを検出するセンサ手段とを有する。【選択図】　図１
2004080428.tif 000002
【特許請求の範囲】
【請求項１】
現像剤を収容し、本体から着脱可能な現像剤容器と；
上記現像剤容器を本体から着脱させる開閉カバーと；
交流電源から直流電圧を生成する低圧電源部と；
上記低圧電源部で生成された直流電圧を電源とし、画像形成を制御する制御回路部と；
上記制御回路部の制御のもとで、上記直流電圧から高圧電圧を生成する高圧電源部と；
上記低圧電源部と上記高圧電源部との間に接続され、上記開閉カバーの動作に応じて、上記直流電圧のオン・オフを制御するメカニカルスイッチと；
上記メカニカルスイッチのオン・オフを検知する状態検出手段と；
上記開閉カバーの開放、または読み取り原稿の有りのいずれかを検出するセンサ手段と；
を有することを特徴とする画像処理装置。
【請求項２】
請求項１において、
上記状態検出手段が上記メカニカルスイッチのオン状態を検出し、しかも上記センサ手段が上記開閉カバーの開放または読み取り原稿の有りのいずれかを検出した場合、上記制御回路部は、上記開閉カバーが閉じた状態であり、しかも読み取り原稿が有ると判断する回路であることを特徴とする画像処理装置。
【請求項３】
請求項２において、
上記状態検出手段が上記メカニカルスイッチのオン状態を検出し、しかも上記センサ手段が、上記開閉カバーの開放または読み取り原稿の有りを検出しない場合、上記制御回路部は、上記開閉カバーは閉じた状態であり、しかも読み取り原稿が無いと判断する回路であることを特徴とする画像処理装置。
【請求項４】
請求項３において、
上記低圧電源部と上記メカニカルスイッチとの間に接続され、上記制御回路部の制御のもとで、上記低圧電源部から上記メカニカルスイッチに供給される上記直流電圧のオン・オフを制御する半導体スイッチング素子を有し、
上記制御回路部は、上記画像処理装置のスタンバイ中は、上記半導体スイッチング素子をオフし、上記画像処理装置の動作中は、上記半導体スイッチング素子をオンにする回路であることを特徴とする画像処理装置。
【請求項５】
請求項４において、
上記制御回路部は、上記半導体スイッチング素子がオフであり、しかも上記開閉カバーの開放または読み取り原稿の有りのいずれかの状態であることを、上記センサ手段が検出したときに、上記半導体スイッチング素子をオンする回路であることを特徴とする画像処理装置。
【請求項６】
請求項５において、
上記制御回路部は、上記半導体スイッチング素子がオフであり、しかも上記センサ手段が上記開閉カバーの開放または読み取り原稿の有りのいずれかであることを検出したときに、上記半導体スイッチング素子をオンにした後に、上記状態検出手段を評価し、上記状態検出手段が上記メカニカルスイッチのオフ状態を示す場合は、上記開閉カバーが開放であり読み取り原稿無しと判断し、上記状態検出手段が上記メカニカルスイッチのオン状態を示す場合は、上記開閉カバーが閉であり、しかも読み取り原稿が有ると判断する回路であることを特徴とする画像処理装置。
【発明の詳細な説明】
【０００１】
【発明の属する技術分野】
本発明は、画像処理装置に関し、特に、電子写真方式を用いた画像処理装置に関する。
【０００２】
【従来の技術】
この種の画像処理装置を適用したファクシミリ装置は、従来、通信回線を通じた他の画像処理装置または通信装置との接続に用いられ、また、通信、コピーのための画像の記録と画像の読み取り、そして、外部コンピュータとの間における通信、記録、読み取りの各手段の共有化等の形態で用いられている。
【０００３】
そして、上記形態で動作を行っているとき以外の状態では、上記動作を行うための待機状態である。
【０００４】
また、上記ファクシミリ装置では、ユーザが設定できる電源スイッチがオン状態であるときに、待機時または動作時に拘らず、商用交流電源または自家発電交流電源の出力が、装置の低圧電源によって装置内の電気素子に供給される電圧（以下、「直流電圧」と呼ぶ）に変換される。このようにして、装置内の全ての電気素子に対して直流電圧が供給される。
【０００５】
したがって、ファクシミリ装置の動的な通常の動作が何ら行われていない待機状態であっても、電力は、通常の動作時と同様に消費されている。この待機状態での電力消費を抑える方法の１つとして、待機中は、上記直流電圧への変換動作を少なくとも一部中止し、部分的な電気素子に対する通電を行わないようにしている。
【０００６】
具体的には、少なくとも電子写真プロセスで使用する高圧電源回路に供給する直流電圧をＯＦＦするようにしている。上記のように、電力の消費を抑える動作を、「低消費電力動作モード」と呼び、通常の動作で電力を供給する動作を、「通常動作モード」と呼ぶ。
【０００７】
そして、各電気素子の電源である低圧電源は、通常動作モードから低消費電力動作モードへの遷移があると、各電気素子への電力供給を一部中止する。低消費電力モード中に通常動作モードへの復帰信号が入力されると、低消費電力動作モードから通常動作モードへ復帰される。
【０００８】
また、低消費電力動作モードにおいては、電力消費を極力抑えた状態で、通常動作モードへの復帰信号のみを受付ける状態を確立する。この復帰信号は、通信回線を通じたＣＩ信号の検出、電話機のオフフックの検出、読み取り原稿有無検出、または、外部インタフェースを通じた外部コンピュータからの起動命令、操作部からのキー入力によって、生成される。そして、通常動作モードへの復帰と全素子への通電が再開される。
【０００９】
上記方法を実施することによって、待機状態の期間には、消費電力を大きく削減することができる。
【００１０】
【発明が解決しようとする課題】
ここで、高圧電源出力は、転写ローラと、本体から脱可能な現像剤容器とに印加され、現像剤容器を本体から取り出すために、装置カバーを開ける際に、その出力部分に、ユーザが触れることができる。このときに、ユーザが触れても、高圧出力が発生しないよう、カバーを開けた際に、ソフトウェアの介在無しに、高圧出力が強制的に停止する構成になっている。
【００１１】
具体的には、装置カバーを開けると、低圧電源部から高圧電源に供給される直流電圧をＯＦＦするように、ＳＷが構成されている。なお、装置カバーの開閉をソフト的に検出する方法があり、その検出方法の１つとして、高圧電源に入力される直流電圧を分圧し、その分圧レベルに応じて、ファクシミリ装置のカバーの状態を検出する方法が知られている。
【００１２】
しかし、この方法を使用した場合、低消費電力動作モードにおいて直流電圧がＯＦＦされているので、ファクシミリ装置のカバーが常に開状態になる。
【００１３】
このため、上記従来例においては、低消費電力動作モード時は、装置カバーの開閉をチェックせずに、したがって、通常動作モードでの装置カバーオープン時にはその旨が、ユーザに報知されるのに、低消費電力動作モードでの装置カバーオープン時には、その旨がユーザに報知できないという問題がある。
【００１４】
また、上記従来例において、低消費電力モード時に、ファクシミリ装置のカバーの開放を検出する専用センサを設けているが、非常にコストアップになるという問題がある。
【００１５】
本発明は、待機状態における消費電力を削減することができ、また、低コストを実現しながら、待機状態における画像処理装置のカバー開閉を検出することができる画像処理装置を提供することを目的とするものである。
【００１６】
【課題を解決するための手段】
本発明は、現像剤を収容し、本体から着脱可能な現像剤容器と、上記現像剤容器を本体から着脱させる開閉カバーと、交流電源から直流電圧を生成する低圧電源部と、上記低圧電源部で生成された直流電圧を電源とし、画像形成を制御する制御回路部と、上記制御回路部の制御のもとで、上記直流電圧から高圧電圧を生成する高圧電源部と、上記低圧電源部と上記高圧電源部との間に接続され、上記開閉カバーの動作に応じて、上記直流電圧のオン・オフを制御するメカニカルスイッチと、上記メカニカルスイッチのオン・オフを検知する状態検出手段と、上記開閉カバーの開放、または読み取り原稿の有りのいずれかを検出するセンサ手段とを有する画像処理装置である。
【００１７】
【発明の実施の形態および実施例】
図１（１）、（２）は、本発明の一実施例である画像処理装置ＩＰ１の外観図である。
【００１８】
図１（２）は、画像処理装置ＩＰ１において、プロセスカートリッジ２８の交換や転写材のジャム処理等のために読取操作部５３を開いている場合を示す外観図である。
【００１９】
図２は、画像処理装置ＩＰ１の要部断面図である。
【００２０】
図３は、画像処理装置ＩＰ１において、プロセスカートリッジ２８の交換や転写材のジャム処理等のために読取操作部５３を開いている場合を示す要部断面図である。
【００２１】
画像処理装置ＩＰ１は、画像処理装置本体１を有し、画像処理装置本体１の内部に、原稿搬送部２と、読取部３と、光学部４と、画像形成部５と、転写材搬送部６と、画像定着部７と、通信部８と、操作部９と、表示部１０と、制御部１１とを有する。
【００２２】
記録部は、光学部４、画像形成部５等の電子写真プロセスによって、画像データを可視像化し、転写材上に転写を行う。
【００２３】
図４は、上記実施例における光学部４の概略を示す図である。
【００２４】
光学部４は、画像処理装置ＩＰ１の制御部１１から受信した画像信号に従って、レーザスキャナ１６のレーザダイオード１７を発光させ、レーザビームを変調して出力する。
【００２５】
この変調されたレーザビームは、コリメータレンズ１８によって平行光に変換された後に、ポリゴンモータ４４の回転によって一定速度で回転するポリゴンミラー１９に入射される。ポリゴンミラー１９から反射されたレーザビームは、ポリゴンミラー１９の前に配置されている結像レンズ２０によって、ミラー４５を介して、感光ドラム２１上に焦点を結ぶ。ポリゴンミラー１９が一定速度で回転すると、感光ドラム２１上のレーザビームは、一定速度で感光ドラム２１上を走査する。感光ドラム２１が一定速度で回転し、しかもレーザビームが一定速度で感光ドラム２１上を走査し、感光ドラム２１上に静電潜像が形成される。
【００２６】
レーザビームの光路中に、固定ミラー４６が配置され、走査開始位置に到達したレーザビームは、固定ミラー４６によって反射され、受光素子４７に入射される。
【００２７】
入射された光は、受光素子４７によって電流に変換され、さらに電流−電圧変換され、水平同期信号の生成に用いられる。
【００２８】
画像形成部５は、導電ドラムと光導電層とによって構成されている感光体ドラム２１の周りに、一次帯電器２２、現像器２３、転写帯電器２４、ブレード方式のクリーニング器２５、除電器２６が構成されている。
【００２９】
ここで、感光体ドラム２１、一次帯電器２２、現像器２３、クリーニング器２５、除電器２６は、現像剤回収容器２７とともに、装置本体１の取付部材中に着脱自在に取り付けられているプロセスカートリッジ２８として一体的に収納されている。
【００３０】
さて、感光体ドラム２１、一次帯電器２２、現像器２３内の現像スリーブ２３ａと、転写帯電器２４とは、モータＭ２によって駆動される。駆動された感光ドラム２１は、一次帯電器２２の通過によって、その表面が均一にマイナスに直接帯電された後に、レーザダイオード１７によってレーザ光を受け、露光される。このレーザ光の照射によって、明部のマイナス電荷は中和され、静電潜像が形成される。そして、上記静電潜像は、現像器２３中の現像剤Ｔに近接すると、マイナス帯電した現像剤Ｔが、潜像と現像器２３との間の電位差によって、感光ドラム２１の表面にジャンプし、可視像化される。
【００３１】
そして、転写帯電器２４によってプラス電荷をかけ、感光体ドラム上のトナー像を転写材Ｐ上に転写する。また、転写が終了した感光体ドラム２１表面は、クリーニング器２５によって残留トナーを除去された後に、一次帯電器２２がドラム電位を均一にし、次の静電潜像の形成に備える。ドラム表面上から除去された残留トナーは、現像剤回収容器２７に回収される。
【００３２】
転写材搬送部６では、多数の転写材を収納可能な記録紙載置台２９が装置本体の所定部に配置され、記録紙フィーダ３０から記録紙が搬送される。また、記録紙フィーダ３０には、記録紙ガイド６１が備えられ、このガイドを転写材Ｐの幅に合わせることによって、斜行を防止する。
【００３３】
記録紙載置台２９にセットされている転写材Ｐを搬送する場合、給紙ソレノイドＳＬ１（不図示）の駆動によって、モータＭ２の駆動を半円状の給紙ローラ２９ａに伝え、この回転によって、転写材Ｐを１枚ずつ分離する。分離された転写材Ｐは、搬送ローラ３１ａによって搬送され、レジセンサ３５（不図示）が先端位置を検知する。この先端検知に同期して、感光体ドラム２１上に形成されたトナー像先端と一致するように、タイミングをとり、感光ドラム２１と転写帯電器２４との間に搬送される。
【００３４】
画像形成部５によって画像の転写を受けた転写材Ｐは、モータＭ２によって駆動される定着ローラ３２と排紙ローラ３３とによって、さらに搬送され、記録紙排紙口切り替えスイッチ５０がフェースダウン側であれば、記録紙フェースダウン排紙口５１からフェースダウン用転写材排紙トレイ３４上に排出される。記録紙排紙口切り替えスイッチ５０がフェースアップ側であれば、記録紙フェースアップ排紙口５２から原稿／記録紙共用排紙トレイ１３に排出される。
【００３５】
なお、給紙部、排紙部には、それぞれレジセンサ３５、排紙センサ３６（不図示）が設けられ、転写材Ｐの到達または通過を検知する。転写材が所定の時間内に各センサ部に到達または通過しない場合、転写材Ｐの搬送不良が生じたと判断し、その旨を表示する。
【００３６】
また、読取操作部５３は、開閉可能に取り付けられ、プロセスカートリッジ２８における転写材詰まりを取り除く処理と、トナーカートリッジ格納位置３８へのプロセスカートリッジ２８の着脱との際に用いられる。なお、カバー４０を開く際には、ドアリリースレバー３９を押し、ドアをリリースする必要がある。また、プロセスカートリッジ２８における転写材の詰まりを取り除く際には、記録ジャム処理用押圧解除レバー３７を操作し、押圧を解除する必要がある。
【００３７】
画像定着部７は、ヒータ４１、定着フィルム４２、定着加圧ローラ３２、排紙ローラ３３等によって構成されている。ヒータ４１は、ヒータ４１に密着させたサーミスタ４３（不図示）の抵抗値変化によって、その表面温度を検知し、ヒータ４１の表面温度が一定になるように制御される。そして、その熱によって定着フィルム４２が温められる。このヒータの熱容量は小さく、転写材Ｐが定着器に到達する前に、所定の定着温度に達する。
【００３８】
そして、画像形成部５において、トナー像の転写を受け、感光体ドラム２１から分離され、搬送された転写材Ｐが、ヒータ４１と定着加圧ローラ３２とによって形成される定着ニップ部に突入すると、定着加圧ローラ３２は、転写材Ｐ上のトナーを、定着フィルム４２を介して、ヒータに圧接する。このときのヒータからの熱伝導によって、トナーが軟化し、溶融し、転写材に定着する。トナー像の定着を受けた転写材Ｐは、記録紙排紙口切り替えスイッチ５０に従って排出される。
【００３９】
図５は、上記実施例において、原稿搬送部２の要部断面を示す図である。
【００４０】
図６は、上記実施例における原稿搬送部２の詳細説明図である。
【００４１】
原稿搬送部２は、原稿Ｓを原稿載置台１２上に置き、スライダ６０を原稿Ｓの幅にあわせて設定する。
【００４２】
原稿Ｓを原稿載置台１２上に積載したときに、原稿Ｓは、予備圧接アーム２ｆとそれに圧接した分離ローラ２ａとに挟まれ、ストッパ２ｐのストップ面２ｚに突き当たる。原稿Ｓの有無に応じて、原稿検知アクチュエータ２ｍが動作し、原稿検知アクチュエータ２ｍの状態が、フォトインタラプタを使用したセンサ２ｘによって検知される。
【００４３】
センサ２ｘが原稿Ｓの有りを検出した状態で、読み取り指示が行われると、読み取りモータ（不図示）が駆動され、ストッパ２ｐが開放原付給送コロ２ｄの回転によって開放され、予備圧接アーム２ｆとそれに圧接した分離ローラ２ａとによって摩擦片２ｋ部まで送られ、摩擦片２ｋと圧接した分離ローラ２ａと、１枚ずつ分離・給送する。そして押圧バネ２ｊによって押圧されている給送コロ２ｄと圧接した給紙ローラ２ｂとによって、密着型イメージセンサ（コンタクトセンサ）１４に搬送されると、密着型イメージセンサ１４は、ＬＥＤアレイを光源とし、原稿Ｓの画像情報面に光を照射し、その反射光をセルフォックレンズでセンサ素子に結像し、画像情報を読み取る。
【００４４】
センサ素子によって光学的に読み取られた画像情報は、電気的なデータに変換され、シェーディング補正、Ａ／Ｄ変換、２値化、中間調等の処理を施し、高精細な画像データとして出力する。
【００４５】
そして、その後に、光学部４または画像処理装置ＩＰ１の通信部に送られ、記録または送信が行われる。順次、原稿をライン送りしながら、密着型イメージセンサ１４が原稿Ｓの画像情報を読み取った後に、押圧バネ２ｊによって押圧された排紙コロ２ｅと圧接した排紙ローラ２ｃとによって、原稿／記録紙共用排紙トレイ１３に、原稿Ｓを排出する。この間、原稿Ｓは、上原稿ガイド５６と下原稿ガイド５９とによってガイドされる。
【００４６】
次に、原稿検知センサの動作概略を説明する。
【００４７】
まず、読取操作部５３が閉じ、しかも原稿Ｓが存在しない場合、図６（１）に示すように、アクチュエータ２ｍは、フォトセンサ２ｘの光路を遮光する。これによって、フォトセンサ２ｘは、Ｈレベルの信号を出力する。
【００４８】
次に、原稿Ｓをセットすると、原稿Ｓの先端がストップ面２ｚに突き当たるとともに、原稿Ｓがアクチュエータ２ｍを上昇させ、図６（２）に示すように、フォトセンサ２ｘの光路を開放する。これによって、フォトセンサ２ｘは、Ｌレベルの信号を出力する。
【００４９】
図７は、上記実施例において、読取操作部５３がオープンしている状態を示す図である。
【００５０】
図３に示すように、読取操作部５３を開いているときは、アクチュエータ２ｍが重力に従って動作し、図７に示すように、原稿Ｓがセットされた場合と同じ状態になる。これによって、フォトセンサ２ｘの光路が開放され、フォトセンサは、Ｌレベルの信号を出力する。
【００５１】
ここで、上記のように、原稿Ｓと読取操作部５３との状態に対するフォトセンサの信号レベルを既定したが、これが逆であってもよい。
【００５２】
つまり、読取操作部５３が閉じ、しかも原稿Ｓが存在しない場合に、アクチュエータ２ｍが、フォトセンサ２ｘの光路を開放し、読取操作部５３が開いているときに、アクチュエータ２ｍが、フォトセンサ２ｘの光路を遮光するように、メカ設計を行ってもよい。
【００５３】
図８、図９は、上記実施例において、プロセスカートリッジ２８の交換や転写材のジャム処理等のために、読取操作部５３を開いている状態を示す図である。
【００５４】
読取操作部５３を閉じている場合、読取操作部５３に取り付けられている突起５５（図３）が、ＳＷ５４のレバー５４ａを押し、ＳＷ５４がＯＮ状態になる。これに対して、読取操作部５３を開いた場合、読取操作部５３に取り付けられている突起５５が、ＳＷ５４のレバー５４ａを押さなくなった時点で、ＳＷ５４がＯＦＦ状態になる。
【００５５】
上記のように、読取操作部５３を開いた場合、ＳＷ５４がＯＦＦ状態になるとともに、フォトセンサ２ｘの光路が開放される。また、読取操作部５３を閉じた場合、ＳＷ５４がＯＮ状態になる。この場合のフォトセンサ２ｘの状態は、原稿Ｓの状態によって決定され、原稿Ｓが存在しているときには、光路が閉鎖された状態になり、原稿Ｓが存在していないときには、光路が開放された状態になる。
【００５６】
次に、画像処理装置ＩＰ１の構成と動作とについて説明する。
【００５７】
図１０は、画像処理装置ＩＰ１を示すブロック図である。
【００５８】
画像処理装置ＩＰ１において、マイクロプロセッサユニット（ＭＰＵ）１０１は、記録部１１２の各動作を含む画像処理装置全体を制御し、システムバス１０２を介して、画像処理装置ＩＰ１の全体を制御する。
【００５９】
ＲＯＭ１０３は、ＭＰＵの動作のためのインストラクション群等のプログラムコード、オペレーティングシステム（ＯＳ）プログラムコード、初期値データ、テーブルデータを格納しているメモリである。
【００６０】
ＤＲＡＭ１０４は、画像バッファと画像メモリとに使用されるメモリであり、通信部１２１と送受信する際の画像データと、情報処理端末１３１と送受信する際のデータとを、一時的に保持するバッファとして使用される。また、通信部１２１を介して、受信された画像データと、読取部１０６から読み取られた画像データと、情報処理端末１３１から送られてきた画像データ（ダウンロードファイル、アップロードファイル、通信管理情報）とを、ファイルとして蓄積するメモリである。なお、ＤＲＡＭ１０４は、バッテリバックアップによって停電等の不慮の障害などから保護されている。
【００６１】
ＳＲＡＭ１０５は、ユーザ登録データエリア、ワークエリア等に使用されるメモリであり、バッテリバックアップによって、停電などの不慮の障害などから保護されている。
【００６２】
読取部１０６は、密着型イメージセンサ１０７、読取画像補正部１０８、読取画像処理部１０９、読取駆動部１１０、ＳＲＡＭ１１１等によって構成されている。
【００６３】
まず、読取駆動部１１０を駆動して原稿を搬送し、密着型イメージセンサ１０７が光学的に読み取り、電気的な画像信号に変換する。この信号を、読取画像補正部１０８がシェーディング補正等を施し、さらに、読取画像処理部１０９が２値化処理し、中間調処理等の画像処理を施し、高精細な画像データを出力する。ＳＲＡＭ１１１は、画像処理を行う際に、バッファとして使用される。
【００６４】
なお、読取部１０６は、原稿を搬送しながら読み取りを行うシート読み取り制御としているが、原稿台に存在している原稿をスキャンするブック読み取り制御であってもよい。
【００６５】
記録部１１２は、ＳＲＡＭ１１１、記録画像復号化部１１３、記録画像処理部１１４、レーザービームプリンタエンジン１１６等によって構成されている。
【００６６】
記録画像復号化部１１３は、ランレングス（ＲＬ）形式の画像データを、生画像（ＲＡＷ）データにデータ変換する。この際、参照ラインバッファ用としてＳＲＡＭ１１１のうち１ライン分のサイズ（６４８バイト×１ライン）を使用する。
【００６７】
記録画像処理部１１４は、走査解像度８ｐｅｌ／ｍｍまたは１６ｐｅｌ／ｍｍの生画像データを、プリンタの主走査解像度６００ｄｐｉ（ｄｏｔｓ　ｐｅｒ　ｉｎｃｈ）の生画像データに変換する解像度変換、画像の変倍、スムージング、濃度補正等の各種画像処理を施し、高精細な画像データに変換し、レーザビームプリンタに出力する。この際、画像処理を行う前の生画像データ用としてＳＲＡＭ１１１のうちで、２ライン分のサイズ（６４８バイト×２ライン）を使用する。
【００６８】
操作部１１８は、ダイヤルするときやデータを登録、設定するとき等に用いるテンキー、各種機能を利用するためのファンクションキー、電話番号等を登録しておきワンタッチでダイヤルするためなどに用いるワンタッチキー、送信や受信、コピーなどを始めるときに用いるスタートキー、送信、登録や設定などの動作を中止したいときに用いるストップキー等の各種キースイッチ等によって構成され、画像処理装置ＩＰ１の動作指示と各種情報の入力とを行う。
【００６９】
表示部１１９は、通信状況の確認やデータの登録、設定、確認メッセージ等、各種メッセージの表示を行うＬＣＤ、通信中に点灯するランプ、各種エラー時に点灯するランプ、読取モードや送信モード等の表示を行うランプ等の各種ＬＥＤ等によって構成され、装置の状態、発呼する相手の電話番号、時刻情報、操作手順等の表示を行う。
【００７０】
パネルインタフェース部１２０は、ＭＰＵ１０１、操作部１１８、表示部１１９の間で連携を取るインタフェースである。
【００７１】
通信部１２１は、ＤＳＵ（回線接続装置）、ＮＣＵ（網制御装置）等の通信接続部１２２、モデム（変復調装置）等の通信制御部１２３によって構成され、ＰＳＴＮ回線・ＩＳＤＮ回線等の通信網１２４に接続し、Ｇ３、Ｇ４のプロトコルによって、通信制御、通信回線に対する発呼と着呼との回線制御を行い、電話機１２５を接続し、通信やＤＴＭＦリモート制御等を行うことも可能である。
【００７２】
音響装置１２６は、エラー状態を示す音響、動作終了を示す音響、操作を促す音響等を発生するスピーカ等によって構成され、各種状態を音響によってオペレータに通知する。
【００７３】
外部インタフェース部１２７は、ＭＰＵ１０１と情報処理端末１３１との間でデータ送受信を行い、情報処理端末１３１から画像処理装置ＩＰ１を制御する。たとえば、読取部１０６で原稿を読み取った画像データと、通信部１２１を経由して受信した画像データとを、情報処理端末１３１にアップロードし、加工したり、逆に、情報処理端末１３１において加工された画像データを、画像処理装置ＩＰ１にダウンロードし、記録部１１２によって記録を行ったり、通信部１２１を経由して送信することができる。
【００７４】
これらインタフェースは、ＲＳ２３２Ｃ、ＩＥＥＥ　Ｐ１２８４、ＳＣＳＩ、ＬＡＮ、ＵＳＢ、ＩＥＥＥ１３９４等を介して行われるが、本実施例の形態は、ＩＥＥＥ　Ｐ１２８４規格に記載されている双方向パラレルインタフェースに準拠したインタフェース仕様としている。また、情報処理端末１３１には、リモート操作を行うアプリケーションソフトとドライバソフトとがインストールされている。
【００７５】
不揮発性記憶装置１２８は、画像情報等の保存に使用される大容量の不揮発性のメモリであり、電源が切れても情報が消えることがなく、消去命令があった場合に消去され、ハードディスクや光ディスク等とそのドライブ等によって構成されている
画像符号／復号部１２９は、ＭＨ、ＭＲ、ＭＭＲ、ＪＰＥＧ符号等の画像データの符号化・復号化を行い、画像復号化部１２９ａ、画像符号化部１２９ｂ、ＳＲＡＭ１２９ｃによって構成されている。
【００７６】
電源供給部１３０は、画像処理装置ＩＰ１に電源を供給する電源供給部であり、情報処理端末１３１は、外部に接続されるパーソナルコンピュータやワードプロセッサ等の情報処理端末である。
【００７７】
外部インタフェース信号線１３２は、外部データ信号線１３２ａ、外部制御信号線１３２ｂ、外部応答信号線１３２ｃによって構成されている。
【００７８】
外部データ信号線１３２ａは、情報処理端末１３１と外部インタフェース部１２７とによってデータ転送を行うデータバスである。
【００７９】
外部制御信号線１３２ｂは、情報処理端末１３１側が制御する信号線であり、ＩＥＥＥ　Ｐ１２８４規格に記載されているｎＳｅｌｅｃｔＩｎ信号、ｎＳｔｒｏｂｅ信号、ｎＡｕｔｏＦｄ信号、ｎＩｎｉｔ信号等が該当する。
【００８０】
外部応答信号線１３２ｃは、外部インタフェース部１２７側が制御する信号線であり、ＩＥＥＥ　Ｐ１２８４規格に記載のＢｕｓｙ信号、ｎＡｃｋ信号、ｎＦａｕｌｔ信号、ＰＥｒｒｏｒ信号、Ｓｅｌｅｃｔ信号等が該当する。
【００８１】
各信号線の動作は、ＩＥＥＥ　Ｐ１２８４規格に準拠し、情報処理端末１３１と外部インタフェース部１２７との間では、双方向のデータ転送が可能である。
【００８２】
図１１は、画像処理装置ＩＰ１の電気回路概略図である。
【００８３】
画像処理装置ＩＰ１は、交流電源２０１と、低圧電源部２０２とを有する。低圧電源部２０２は、交流電源２０１から電力供給を受け、装置の各部が必要とする電圧に変換して電源を供給する。
【００８４】
制御回路２０３は、画像処理装置ＩＰ１の制御を行うＣＰＵによって構成され、基準クロックを出力する。ヒータ制御回路２０４は、ヒータ４１への通電を制御する制御回路であり、サーミスタ４３は、ヒータ４１の温度を検出する素子である。
【００８５】
フォトセンサ２ｘは、原稿Ｓの有無または読取操作部５３の開閉を検出する。通信部１２１は、通信網１２４と電話器１２５と接続し、制御する通信部である。パネルインタフェース１２０は、操作部１１８の操作信号を制御するパネルインタフェースであり、外部インタフェース部１２７は、外部の情報処理端末１３１とのインタフェースを行うインタフェース部である。
【００８６】
一次帯電用高圧電源３０１は、端子２２に一次帯電電圧を出力する。現像用高圧電源３０２は、端子２３に現像電圧を出力する。転写用高圧電源３０３は、端子２４に転写電圧を出力する。直流電源３０４は、１次帯電、現像、転写用各電源に電源供給する。ＦＥＴ３０５は、Ｖｃｃ２を、ライン３０８に伝えるか否かを制御するＦＥＴである。トランジスタ３０６は、ＦＥＴ３０５のオン・オフを制御するトランジスタであり、制御回路２０３からの第１電源オン信号によって制御される。
【００８７】
ＳＷ５４は、読取操作部５３を閉じたときにＯＮになり、開いたときにＯＦＦになるスイッチであり、電源３０８を電源３０４に供給するか否かを制御する。
【００８８】
電圧変換部３０７は、電源３０４の活性状態を、制御回路２０３に伝達する電圧変換部であり、電源３０４が活性状態である場合は、ドアオープンクローズ信号をＨレベルにし、電源３０４が非活性状態である場合は、ドアオープンクローズ信号をＬレベルにする。
【００８９】
ここで、制御回路２０３は、低消費電力モードから通常動作モードに復帰するタイミングを検出する入力端子２０３ａ（不図示）を含み、この入力端子２０３ａは、外部インタフェース１２７からの起動信号、フォトセンサ２ｘからのセンサ信号、パネルインタフェースからのキー信号、通信部１２１からのオフフック信号およびＣＩ信号を復帰信号として受け入れる部位である。制御回路２０３は、入力端子２０３ａにおける復帰信号の状態を検出し、通常動作モード・低消費電力モード間の移行を制御する。
【００９０】
たとえば、低消費電力動作モードへの移行は、画像処理装置ＩＰ１の読み取り・記録・電話回線を使用した通信、外部情報処理端末との通信がいずれも動作していないときに実行され、その後に、トランジスタ３０６へ動作停止指示（第１電源オン信号のＬレベル状態）が送出され、ＦＥＴ３０５をＯＦＦ、電源３０８を非活性状態とする。
【００９１】
また、低消費電力モードから通常動作モードへの復帰は、交流電源２０１を一旦切り離し、再接続するか、画像処理装置ＩＰ１を、コピー・ＰＣプリント・ＦＡＸ送受信・ＦＡＸ予約・電話通話・エラー・故障のいずれかの状態とすればよい。
【００９２】
ここで、エラー状態には、読取操作部５３の開放状態を含む。これらの開始は、復帰信号によって判断され、トランジスタ３０６へ動作指示（第１電源オン信号のＨレベル状態）が送出され、ＦＥＴ３０５をＯＮにし、電源３０８を活性状態とする。
【００９３】
ここで、通常動作モードにおいて、電源３０８は活性状態にあるので、読取操作部５３が閉じているとき（つまり、ＳＷ５４がクローズであるとき）に、ドアオープンクローズ信号が、Ｈレベルになる。一方、読取操作部５３が開いているとき（つまり、ＳＷ５４がオープンであるとき）に、ドアオープンクローズ信号がＬレベルになる。このために、制御回路２０３は、ドアオープンクローズ信号のレベルをみて、読取操作部５３の開閉状態を判断する。
【００９４】
また、低消費電力動作モードにおいて、電源３０８が非活性状態にあるので、ＳＷ５４の状態にかかわらず、電源３０４も非活性状態になる。よって、読取操作部５３の開閉状態に関わらず、電圧変換部３０７から制御回路２０３に送られるドアオープンクローズ信号が、常にＬになる。このために、低消費電力動作モードにおいて、制御回路２０３は、フォトセンサ２ｘの出力信号のＬレベルであった場合に、原稿Ｓが挿入されたのか、または読取操作部５３が開放されたかのいずれかであると判断し、通常動作モードへの移行条件とする。通常動作モードに移行すれば、電源３０８が活性状態になるので、ドアオープンクローズ信号の状態は、読取操作部の開閉状態を判断することができる。
【００９５】
次に、画像処理装置ＩＰ１の動作について説明する。
【００９６】
図１２、図１３、図１４、図１５は、画像処理装置ＩＰ１の動作を示すフローチャートである。
【００９７】
最初に、Ｓ１０１では、画像処理装置ＩＰ１の電源をＯＮにし、Ｓ１０２では、低圧電源部２０２が立ち上がり、Ｓ１０３では、制御回路２０３が動作を開始し、Ｓ１０４では、ＦＥＴ３０５がＯＮする。この状態は、通常動作モードである。
【００９８】
その後、Ｓ１０５では、制御回路２０３がＳＷ５４の状態を検出するために、ドアオープンクローズ信号の論理がＬレベルであるか否かをチェックする。ドアオープンクローズ信号の論理がＬレベルであれば、読取操作部５３が開いた状態であると判断し、Ｓ１０８では、ドアオープンフラグをセットし、Ｓ１０９では、原稿処理フラグをリセットし、Ｓ１１１に進む。
【００９９】
Ｓ１０５において、ドアオープンクローズ信号の論理がＨレベルであれば、読取操作部５３が閉じた状態であると判断し、Ｓ１０６では、ドアオープンフラグをクリアする。その後に、Ｓ１０７では、フォトセンサ２ｘのＬレベルを検出し、Ｌレベルであれば、読取操作部５３が閉じた状態であるので、原稿Ｓが有ると判断し、Ｓ１１０では、原稿処理フラグをセットし、Ｓ１１１に進む。Ｓ１０７において、フォトセンサ２ｘがＨレベルならば、そのままＳ１１１に進む。
【０１００】
Ｓ１１１では、ＣＩ信号の入力が有るか否かを検出する。ＣＩ信号を検出すれば、Ｓ１１２では、ＣＩ信号検出処理フラグをセットし、Ｓ１１３に進む。Ｓ１１１において、ＣＩ信号を検出していなければ、そのままＳ１１３に進む。Ｓ１１３では、電話機のオフフックを判断し、オフフックを検出すれば、Ｓ１１４では、オフフック検出処理フラグをセットし、Ｓ１１５に進む。Ｓ１１３において、オフフックを検出していなければ、そのままＳ１１５に進む。
【０１０１】
Ｓ１１５では、キー入力が有るか否かを検出する。キー入力が有れば、Ｓ１１６では、キー入力処理フラグをセットし、Ｓ１１７に進む。Ｓ１１５において、キー入力を検出していなければ、そのままＳ１１７に進む。
【０１０２】
Ｓ１１７では、情報処理端末１３１からの起動信号が有るか否かを検出する。起動信号が有れば、Ｓ１１８では、外部起動処理フラグをセットし、Ｓ１１９に進む。Ｓ１１７において、起動信号が無ければ、そのままＳ１１９に進む。Ｓ１１９では、原稿処理フラグがセットされているか否かをチェックする。Ｓ１１９において、原稿処理フラグがセットされていなければ、Ｓ１２３に進む。Ｓ１１９において、原稿処理フラグがセットされていれば、Ｓ１２０に進み、原稿処理終了か否かをチェックする。Ｓ１２０において、原稿処理が終了であれば、Ｓ１２２では、原稿処理フラグをクリアし、Ｓ１２３に進む。Ｓ１２０において、原稿処理終了でなければ、Ｓ１２１では、原稿処理を行い、Ｓ１２３に進む。なお、原稿処理は、読み取り作業、読み取った画像をコピー、ＦＡＸ送信、ＰＣスキャン等を行う作業を含む。
【０１０３】
Ｓ１２３では、ＣＩ信号検出処理フラグがセットされているか否かをチェックし、ＣＩ信号検出処理フラグがセットされていなければ、Ｓ１２７に進む。Ｓ１２３において、ＣＩ信号検出処理フラグがセットされていれば、Ｓ１２４に進み、ＣＩ処理終了か否かをチェックする。
【０１０４】
Ｓ１２４において、ＣＩ処理終了であれば、Ｓ１２６では、ＣＩ信号検出処理フラグをクリアし、Ｓ１２７に進む。Ｓ１２４において、ＣＩ処理終了でなければ、Ｓ１２５では、ＣＩ処理を実行し、Ｓ１２７に進む。「ＣＩ処理」は、電話の呼び出し・通話、ＦＡＸの呼び出し・ＦＡＸのポーリング送信、ＦＡＸ受信、そのプリント処理ｏｒＰＣへのアップロード処理等を含む。
【０１０５】
Ｓ１２７では、オフフック検出処理フラグがセットされているか否かをチェックし、オフフック検出処理フラグがセットされていなければ、Ｓ１３１に進む。Ｓ１２７において、オフフック検出処理フラグがセットされていれば、Ｓ１２８に進み、オフフック処理終了か否かをチェックする。Ｓ１２８において、オフフック処理終了であれば、Ｓ１３０では、オフフック検出処理フラグをクリアし、Ｓ１３１に進む。
【０１０６】
Ｓ１２８において、オフフック処理終了でなければ、Ｓ１２９では、オフフック処理を行い、Ｓ１３１に進む。「オフフック処理」は、電話機による発信と送受話とを含む。Ｓ１３１では、キー入力処理フラグがセットされているか否かをチェックする。Ｓ１３１において、キー入力処理フラグがセットされていなければ、Ｓ１３５に進む。Ｓ１３１において、キー入力処理フラグがセットされていれば、Ｓ１３２に進み、キー入力処理終了か否かをチェックする。Ｓ１３２において、キー入力処理終了であれば、Ｓ１３４では、キー入力処理フラグをクリアし、Ｓ１３５に進む。
【０１０７】
Ｓ１３２において、キー入力処理終了でなければ、Ｓ１３３では、キー入力処理を行い、Ｓ１３５に進む。「キー入力処理」は、キーの入力作業とそのキー入力操作によって発生する動作との全てを含み、たとえばコピー動作、ＦＡＸの送信動作、ＦＡＸのポーリング受信動作、そのプリント等を含む。
【０１０８】
Ｓ１３５では、外部起動処理フラグがセットされているか否かをチェックし、外部起動処理フラグがセットされていなければ、Ｓ１６５に進む。Ｓ１３５において、外部起動処理フラグがセットされていれば、Ｓ１３６に進み、外部起動処理終了であるか否かをチェックする。
【０１０９】
Ｓ１３６において、外部起動処理終了であれば、Ｓ１３８では、外部起動処理フラグをクリアし、Ｓ１６５に進む。Ｓ１３６において、外部起動処理終了でなければ、Ｓ１３７では、外部起動処理を行い、Ｓ１６５に進む。「外部起動処理」は、ＰＣからのプリント動作、ＰＣへのスキャン画像およびＦＡＸ受信画像のアップロード動作を含む。
【０１１０】
Ｓ１６５では、ドアオープンフラグがセットされているか否かを検出する。Ｓ１６５において、ドアオープンフラグがセットされていなければ、Ｓ１３９に進む。Ｓ１６５において、ドアオープンフラグがセットされていれば、Ｓ１６６では、読取操作部５３が開放状態であることを、表示部１１９に表示し、ユーザに報知し、Ｓ１３９に進む。
【０１１１】
Ｓ１３９では、原稿処理フラグがセットされているか否かを検出する。セットされていれば、Ｓ１０５に戻り、動作を繰り返す。Ｓ１３９において、原稿処理フラグがセットされていなければ、Ｓ１４０に進み、ＣＩ信号検出処理フラグがセットされているか否かを検出する。セットされていれば、Ｓ１０５に戻り、動作を繰り返す。
【０１１２】
Ｓ１４０において、ＣＩ信号検出処理フラグがセットされていなければ、Ｓ１４１に進み、オフフック検出処理フラグがセットされているか否かを検出する。セットされていれば、Ｓ１０５に戻り、動作を繰り返す。
【０１１３】
Ｓ１４１において、オフフック検出処理フラグがセットされていなければ、Ｓ１４２に進み、キー入力処理フラグがセットされているか否かを検出する。セットされていれば、Ｓ１０５に戻り、動作を繰り返す。Ｓ１４２において、キー入力処理フラグがセットされていなければ、Ｓ１４３に進み、外部起動処理フラグがセットされているか否かを検出する。セットされていれば、Ｓ１０５に戻り、動作を繰り返す。Ｓ１４３において、外部起動処理フラグがセットされていなければ、Ｓ１４４に進み、ドアオープンフラグがセットされているか否かを検出する。セットされていれば、Ｓ１０５に戻り、動作を繰り返す。Ｓ１４４において、ドアオープンフラグがセットされていなければ、Ｓ１４５に進む。
【０１１４】
Ｓ１４５では、ＦＥＴ３０５をオフにする。Ｓ１４５に移行する条件は、装置が、コピー・ＰＣプリント・ＦＡＸ送受信・ＦＡＸ予約・電話通話・エラー・故障のいずれの状態でもないことである。これによって、画像処理装置ＩＰ１は、低消費電力モードに移行し、読取操作部５３の開閉（すなわちＳＷ５４のＯＮ／ＯＦＦ）にかかわらず、ドアオープンクローズ信号がＬレベルになる。
【０１１５】
続いて、Ｓ１４６では、フォトセンサ２ｘがＬレベルであるか否かを検出する。フォトセンサ２ｘがＬレベルであれば、原稿Ｓがセットされたか、または読取操作部５３が開かれた状態であると判断し、Ｓ１５１に進む。Ｓ１５１では、ＦＥＴ３０５をＯＮにし、画像処理装置ＩＰ１を通常動作モードにするので、読取操作部５３の開閉状態（すなわちＳＷ５４のＯＦＦ／ＯＮ状態）が、ドアオープンクローズ信号に反映される。
【０１１６】
そして、Ｓ１５２では、ドアオープンクローズ信号がＬレベルであるか否かをチェックする。Ｌレベルであれば、読取操作部５３が開いている状態であると判断し、Ｓ１５３では、ドアオープンフラグをセットし、Ｓ１１９に戻る。Ｓ１５２において、ドアオープンクローズ信号がＨレベルであれば、Ｓ１５４では、原稿処理フラグをセットし、Ｓ１１９に戻る。Ｓ１４６において、フォトセンサ２ｘがＨレベルであれば、Ｓ１４７に進む。Ｓ１４７では、ＣＩ信号の入力が有るか否かを検出する。ＣＩ信号を検出すれば、Ｓ１５５では、ＣＩ信号検出処理フラグをセットし、Ｓ１５９に進む。
【０１１７】
Ｓ１４７において、ＣＩ信号を検出していなければ、そのままＳ１４８に進む。Ｓ１４８では、電話機のオフフックを検出する。オフフックを検出すれば、Ｓ１５６では、オフフック検出処理フラグをセットし、Ｓ１５９に進む。Ｓ１４８において、オフフックを検出していなければ、そのままＳ１４９に進む。Ｓ１４９では、キー入力が有るか否かを検出する。キー入力が有れば、Ｓ１５７では、キー入力処理フラグをセットし、Ｓ１５９に進む。Ｓ１４９において、キー入力を検出しなければ、そのままＳ１５０に進む。
【０１１８】
Ｓ１５０では、情報処理端末１３１からの起動信号が有るか否かを検出する。起動信号が有れば、Ｓ１５８では、外部起動処理フラグをセットし、Ｓ１５９に進む。Ｓ１５０において、起動信号が無ければ、Ｓ１４６に戻る。Ｓ１５９では、ＦＥＴ３０５をＯＮすることによって、画像処理装置ＩＰ１を通常動作モードにし、Ｓ１１９に戻る。
【０１１９】
上記実施例によれば、待機状態における消費電力を削減することができ、また、低コストを実現しながら、待機状態における画像処理装置ＩＰ１のカバー開閉を検出することができる。
【０１２０】
また、上記実施例によれば、上記状態検出手段が上記メカニカルスイッチのオン状態を示し、しかも上記センサ手段が上記開閉カバーの開放または読み取り原稿の有りのいずれかの状態であることを示す場合、上記制御回路は、上記開閉カバーが閉じた状態であり、しかも読み取り原稿が有ると判断するようにしたので、センサ手段が２つの異なる対象のどちらを検出したのかを判別することができる。
【０１２１】
さらに、上記実施例によれば、上記状態検出手段が上記メカニカルスイッチのオン状態を示し、しかも上記センサ手段が上記開閉カバーの開放または読み取り原稿の有りのいずれかの状態でないことを示す場合、上記制御回路は、上記開閉カバーは閉じた状態であり、しかも読み取り原稿は無しであると判断するようにしたので、センサ手段が２つの異なる対象のどちらを検出したのかを判別することができる。
【０１２２】
そして、上記実施例によれば、上記低圧電源部と上記メカニカルスイッチとの間に接続され、上記制御回路部の制御のもとで、上記低圧電源部から上記メカニカルスイッチに供給される上記直流電圧のオン・オフを制御する半導体スイッチング素子を有する画像処理装置において、上記制御回路は画像処理装置のスタンバイ中は、上記半導体スイッチング素子をオフとし、画像処理装置の動作中は、上記半導体スイッチング素子をオンとするようにしたので、低消費電力での待機が可能である。
【０１２３】
また、上記制御回路部は、上記半導体スイッチング素子がオフであり、しかも上記センサ手段が上記開閉カバーの開放または読み取り原稿の有りのいずれかの状態であることを検出したときに、上記半導体スイッチング素子をオンするので、低消費電力動作モード時に開閉カバーが開いた場合の検出が常に可能である。
【０１２４】
さらに、上記制御回路部は、上記半導体スイッチング素子がオフであり、しかも上記センサ手段が上記開閉カバーの開放または読み取り原稿の有りのいずれかの状態であることを検出したときに、上記半導体スイッチング素子をオンにした後に、上記状態検出手段を評価し、上記状態検出手段が上記メカニカルスイッチのオフ状態を示す場合は、上記開閉カバーが開放しかも読み取り原稿無しと判断し、上記状態検出手段が上記メカニカルスイッチのオン状態を示す場合は、上記開閉カバーが閉かつ読み取り原稿有りと判断するので、センサ手段が２つの異なる対象のどちらを検出したのかを判別することができる。
【０１２５】
【発明の効果】
本願発明によれば、待機状態における消費電力を削減することができ、また、低コストを実現しながら、待機状態における画像処理装置のカバー開閉を検出することができるという効果を奏する。
【図面の簡単な説明】
【図１】本発明の一実施例である画像処理装置ＩＰ１の外観図である。
【図２】画像処理装置ＩＰ１の要部断面図である。
【図３】画像処理装置ＩＰ１において、プロセスカートリッジ２８の交換や転写材のジャム処理等のために読取操作部５３を開いている場合を示す要部断面図である。
【図４】上記実施例における光学部４の概略を示す図である。
【図５】上記実施例において、原稿搬送部２の要部断面を示す図である。
【図６】上記実施例における原稿搬送部２の詳細説明図である。
【図７】上記実施例において、読取操作部５３がオープンしている状態を示す図である。
【図８】上記実施例において、プロセスカートリッジ２８の交換や転写材のジャム処理等のために、読取操作部５３を開いている状態を示す図である。
【図９】上記実施例において、プロセスカートリッジ２８の交換や転写材のジャム処理等のために、読取操作部５３を開いている状態を示す図である。
【図１０】画像処理装置ＩＰ１を示すブロック図である。
【図１１】画像処理装置ＩＰ１の電気回路概略図である。
【図１２】画像処理装置ＩＰ１の動作を示すフローチャートである。
【図１３】画像処理装置ＩＰ１の動作を示すフローチャートである。
【図１４】画像処理装置ＩＰ１の動作を示すフローチャートである。
【図１５】画像処理装置ＩＰ１の動作を示すフローチャートである。
【符号の説明】
ＩＰ１…画像処理装置、
１０１…マイクロプロセッサ、
１０３…ＲＯＭ、
１０４…ＤＲＡＭ、
１０５…ＳＲＡＭ、
１０６…読取部、
１０７…密着型イメージセンサ、
１０８…読取画像補正部、
１０９…読取画像処理部、
１１０…読取駆動部、
１１２…記録部、
１１３…記録データ復号化部、
１１４…記録画像処理部、
１１６…レーザービームプリンタエンジン。
１１８…操作部、
１１９…表示部。
【図１】
2004080428.tif 000003
【図２】
2004080428.tif 000004
【図３】
2004080428.tif 000005
【図４】
2004080428.tif 000006
【図５】
2004080428.tif 000007
【図６】
2004080428.tif 000008
【図７】
2004080428.tif 000009
【図８】
2004080428.tif 000010
【図９】
2004080428.tif 000011
【図１０】
2004080428.tif 000012
【図１１】
2004080428.tif 000013
【図１２】
2004080428.tif 000014
【図１３】
2004080428.tif 000015
【図１４】
2004080428.tif 000016
【図１５】
2004080428.tif 000017